(57)【要約】【課題】  所望の部位に対して所望の力で容易にマッサージを行うことのできるマッサージ器具を提供する。【解決手段】  マッサージ器具１は、第１の当接部材４と、ローラ部材７又は指圧部材８と、を備えている。第１の当接部材４は、第１の当接面４１を有し、第１の当接面が立設した第１の柱２の第１の側面２１に当接するように配置される。ローラ部材７又は指圧部材８は、マッサージ面７１又は８１を有し、マッサージ面７１又は８１が外部に曝されるようにして第１の当接部材４に対して着脱可能に取り付けられる。ローラ部材７又は指圧部材８は、第１の当接部材４の垂直方向における複数の位置に取り付け可能である。【選択図】図１
2018192084.tif 000002
【特許請求の範囲】
【請求項１】
第１の当接面を有し、前記第１の当接面が、立設した第１の不動物の第１の側面に当接するように配置される第１の当接部材と、
マッサージ面を有し、前記マッサージ面が外部に曝されるようにして前記第１の当接部材に対して着脱可能に取り付けられるマッサージ部材と、
を備え、
前記マッサージ部材は、前記第１の当接部材の垂直方向における複数の位置に取り付け可能であることを特徴とするマッサージ器具。
【請求項２】
前記マッサージ部材は、前記マッサージ面が前記第１の側面から突出するように前記第１の当接部材に対して着脱可能に取り付けられることを特徴とする請求項１に記載のマッサージ器具。
【請求項３】
前記第１の側面と対向する第２の側面を有する立設した第２の不動物が存在する場合において、第２の当接面を有し、前記第２の当接面が前記第２の側面と当接するように配置される第２の当接部材と、
前記第１の当接部材及び前記第２の当接部材を、それぞれ、前記第１の側面及び前記第２の側面に向けて付勢するために、前記第１の当接部材と前記第２の当接部材の間に配置される棒状付勢部材と、
を更に備えたことを特徴とする請求項１又は２に記載のマッサージ器具。
【請求項４】
前記第１の不動物が前記第１の側面と略水平方向において交差する他の側面を有している場合において、前記第１の当接部材は、前記他の側面と当接する固定補助部を更に有していることを特徴とする請求項１から３のいずれか一項に記載のマッサージ器具。
【発明の詳細な説明】
【技術分野】
【０００１】
本発明は、所望の部位に対して所望の力で容易にマッサージを行うことのできるマッサージ器具に関する。
【背景技術】
【０００２】
従来より、Ｕ字形状のマッサージ器であって、Ｕ字形状の一端を背中や腰に当てた状態で他端を手で引っ張ることにより、背中や腰に対して指圧を行うことができるマッサージ器が知られている（例えば、特許文献１参照）。
【先行技術文献】
【特許文献】
【０００３】
【特許文献１】特開２０１２−９５９８２号公報
【発明の概要】
【発明が解決しようとする課題】
【０００４】
しかしながら、上記技術では、結局のところ、腕の力を用いて指圧を行うものであるため、あまり大きな力で指圧を行うことはできない。また、Ｕ字形状の範囲内で操作しなければならないため、所望の部位に届かなかったり、部位によっては力をかけにくい場合もある。
【０００５】
そこで、本発明は、所望の部位に対して所望の力で容易にマッサージを行うことが可能なマッサージ器具を提供することを目的としている。
【課題を解決するための手段】
【０００６】
本発明は、第１の当接面を有し、前記第１の当接面が、立設した第１の不動物の第１の側面に当接するように配置される第１の当接部材と、マッサージ面を有し、前記マッサージ面が外部に曝されるようにして前記第１の当接部材に対して着脱可能に取り付けられるマッサージ部材と、を備え、前記マッサージ部材は、前記第１の当接部材の垂直方向における複数の位置に取り付け可能であることを特徴とするマッサージ器具を提供している。
【０００７】
このような構成によれば、所望の部位に対して所望の力で容易にマッサージを行うことが可能となる。詳細には、マッサージを望む部位にマッサージ面を当てた状態でマッサージ面に対して体を預けるという簡易な動作を行うだけで、マッサージを行うことが可能となる。この際、体の重さを利用することができるので、通常のマッサージよりも遥かに大きな力でマッサージを行うことが可能であり、更に、“体を預ける量を変える”という簡易な動作だけで、マッサージの強さを自在に調整することが可能である。
【０００８】
また、立設した第１の不動物の第１の側面に取り付けられた第１の当接部材に対して、マッサージ部材をマッサージを望む部位に応じて自由に取り付けることができるので、楽な姿勢を保ちながらマッサージを行うことが可能となる。
【０００９】
更に、マッサージ部材は着脱可能であり、また、第１の当接部材の設置には僅かなスペースで足りるため、マッサージ部材を取り外せば、マッサージ器具を室内等に設置した場合であっても、第１の当接部材が室内の美観や生活の利便性を損なわせるという問題は、ほとんど生じない。
【００１０】
また、前記マッサージ部材は、前記マッサージ面が前記第１の側面から突出するように前記第１の当接部材に対して着脱可能に取り付けられることが好ましい。
【００１１】
このような構成によれば、マッサージ面に対して体を預けた際、その力（重さ）は、大部分が第１の不動物に対して垂直に働き、第１の当接面を第１の側面からずらす方向にはほとんど働かない。従って、第１の当接部材を第１の不動物に対して強固に固定する必要がなく、つっぱり棒等の固定部材による簡易的な固定で済ませることができる。また、簡易的な固定で済むため、不使用時には、第１の当接部材を取り外すことも容易である。
【００１２】
また、第１の当接部材の下部が床面と接触するように配置することで、第１の当接部材の重さ、及び、体を預けた際に第１の当接部材を下方に押す力は床面で支持される。このことによっても、第１の不動物に対する第１の当接部材の固定が外れることが抑制される。
【００１３】
また、前記第１の側面と対向する第２の側面を有する立設した第２の不動物が存在する場合において、第２の当接面を有し、前記第２の当接面が前記第２の側面と当接するように配置される第２の当接部材と、前記第１の当接部材及び前記第２の当接部材を、それぞれ、前記第１の側面及び前記第２の側面に向けて付勢するために、前記第１の当接部材と前記第２の当接部材の間に配置される棒状付勢部材と、を更に備えたことが好ましい。
【００１４】
このような構成によれば、棒状付勢部材により、第１の当接部材及び第２の当接部材が、それぞれ、第１の側面及び第２の側面に向けて押し付けられるので、第１の不動物に対する第１の当接部材の固定が外れてしまうことが更に抑制される。
【００１５】
また、前記第１の不動物が前記第１の側面と略水平方向において交差する他の側面を有している場合において、前記第１の当接部材は、前記他の側面と当接する固定補助部を更に有していることが好ましい。
【００１６】
このような構成によれば、柱や壁の角をなす２つの面に、第１の当接板と固定補助部がそれぞれ当接するので、第１の不動物に対する第１の当接部材の固定が外れることが更に抑制される。
【発明の効果】
【００１７】
本発明のマッサージ器具によれば、所望の部位に対して所望の力で容易にマッサージを行うことが可能となる。
【図面の簡単な説明】
【００１８】
【図１】本発明の実施の形態によるマッサージ器具の説明図
【図２】本発明の実施の形態による第１の当接部材の説明図
【図３】本発明の実施の形態によるマッサージ部材の側面図
【図４】本発明の変形例による不動物の上面図
【図５】本発明の変形例による固定補助部の上面図
【図６】本発明の変形例によるマッサージ器具の外観図
【発明を実施するための形態】
【００１９】
以下、本発明の実施の形態によるマッサージ器具１について、図１−図３を参照して説明する。
【００２０】
本実施の形態によるマッサージ器具１は、壁や柱等の立設した不動物の側面に取り付けられて使用されるものであって、本実施の形態では、図１に示すように、ドア枠を構成する第１の柱２及び第２の柱３に取り付けられるものとする。第１の柱２及び第２の柱３は、互いに対向する第１の側面２１及び第２の側面３１をそれぞれ有しているものとする。
【００２１】
なお、第１の柱２及び第２の柱３が、本発明の“第１の不動物”及び“第２の不動物”にそれぞれ相当する。
【００２２】
図１に示すように、マッサージ器具１は、第１の当接部材４と、第２の当接部材５と、保持部材６と、ローラ部材７と、指圧部材８と、棒状付勢部材９と、を備えている。
【００２３】
第１の当接部材４は、金属等の剛性を有する部材により形成されており、図１及び図２に示すように、垂直方向に延びる略長方形状の第１の当接板４１と、第１の当接板４１の両側部からそれぞれ垂直に延出した略長方形状の一対のレール板４２と、を備えている。
【００２４】
なお、第１の当接板４１の一方の面が、本発明の“第１の当接面”に相当する。
【００２５】
第１の当接部材４は、第１の当接板４１が第１の側面２１に当接するように配置された上で、固定部材４３によって第１の柱２に対して固定される。この際、第１の当接部材４は、下端が床面と接触するように配置し、床面によって支持されることが好ましい。また、第１の当接部材４は、床面によって支持された状態において、少なくともユーザの肩以上の高さを有していることが好ましい。
【００２６】
第１の柱２に対して第１の当接部材４を固定する方法としては様々なものが考えられるが、本実施の形態では、第１の当接部材４から上方に伸縮可能に延出したつっぱり棒を固定部材４３として採用し、ドア枠の上面と床面との間で第１の当接部材４を固定するものとする。
【００２７】
一対のレール板４２には、それぞれ、支持ピン４４が挿通される第１の貫通孔４５が垂直方向における複数の位置に形成されている。
【００２８】
第２の当接部材５は、第２の柱３に対して固定される以外は、第１の当接部材４と同様の構成であるため、その説明は省略する。
【００２９】
保持部材６は、一対のレール板４２間に配置された状態で一対のレール板４２に沿って垂直方向に移動可能な略直方体形状を有しており、その側面には、第２の貫通孔６１が形成されている。この第２の貫通孔６１及び第１の貫通孔４５に支持ピン４４を挿通させることで、保持部材６は、一対のレール板４２に支持される。
【００３０】
また、保持部材６のうち、第１の当接板４１（第１の柱２）と反対側の面には、取付孔６２が形成されている。
【００３１】
一方、図３（ａ）に示すように、ローラ部材７のマッサージ面７１と反対側には、取付孔６２と嵌合可能な突出部７２が形成されており、突出部７２を取付孔６２に嵌合させることで、ローラ部材７は、保持部材６に対して着脱可能に取り付けられる。
【００３２】
同様に、図３（ｂ）に示すように、指圧部材８のマッサージ面８１と反対側には、取付孔６２と嵌合可能な突出部８２が形成されており、突出部８２を取付孔６２に嵌合させることで、指圧部材８は、保持部材６に対して着脱可能に取り付けられる。
【００３３】
この結果、ローラ部材７（指圧部材８）と第１の柱２の間に第１の当接板４１が挟まれた状態で、マッサージ面７１（８１）は、外部に曝されるように、詳細には、第１の当接板４１と略垂直に第１の柱２から突出するように配置されることとなる。
【００３４】
このような構成の下、例えば、腰に対してマッサージを行いたい場合には、まず、腰の高さ付近にローラ部材７（指圧部材８）を取り付ける。そして、腰にマッサージ面７１（８１）を当てた状態でマッサージ面７１（８１）に対して体を預けることで、腰に対してマッサージを行うことが可能となる。この際、体の重さを利用することができるので、通常のマッサージよりも遥かに大きな力でマッサージを行うことが可能であり、更に、“体を預ける量を変える”という簡易な動作だけで、マッサージの強さを自在に調整することが可能である。
【００３５】
棒状付勢部材９は、図３（ｃ）に示すように、高剛性かつ伸縮可能な円筒形状の部材から構成されている。棒状付勢部材９の直径は、一対のレール板４２間の幅よりも僅かに小さいものとする。また、棒状付勢部材９の長さ方向の略中央位置には、軸を中心として回転可能なローラ機構９１が設けられている。
【００３６】
このような構成の下、棒状付勢部材９は、第１の側面２１−第２の側面３１間の長さに概ね調節された上で、各端部が、第１の当接部材４の第２の当接部材４の一対のレール板４２間にそれぞれ配置される。詳細には、まず、第１の当接部材４と第２の当接部材の５の第１の貫通孔４５にそれぞれ支持ピン４４を挿通しておく。そして、棒状付勢部材９の各端部を、図１に示すように、各支持ピン４４上にそれぞれ載置することで、棒状付勢部材９は、第１の当接部材４と第２の当接部材５の間に架け渡される。
【００３７】
この際、棒状付勢部材９は、第１の当接部材４−第２の当接部材５間でつっぱるように長さを調節し、第１の当接部材４及び第２の当接部材５を、それぞれ、第１の側面２１及び第２の側面３１に向けて付勢させることが好ましい。これにより、第１の柱２に対する第１の当接部材４の固定が外れてしまうことが更に抑制される。また、支持ピン４４及び第１の貫通孔４５は、ローラ部材７及び指圧部材８の支持と、棒状付勢部材９の載置と、の両方に共通して使用することができるので、構造を複雑化せず、部品点数を減らすことができる。
【００３８】
棒状付勢部材９は、高い位置に架け渡された場合には、ローラ機構９１が存在しない位置を握り、ぶら下がり棒として使用することができる。一方、低い位置に架け渡された場合には、ローラ機構９１に対して腰、腿裏等を当て、ローラ部材７や指圧部材８ではマッサージすることが難しい部位をマッサージすることが可能となる。更に、床面と接触するように架け渡された場合には、足裏をマッサージすることが可能となる。
【００３９】
以上説明したように、本実施の形態によるマッサージ器具１では、立設した不動物の側面（第１の柱２等）に当接するように配置された第１の当接部材４に対して、マッサージ面７１（８１）が外部に曝されるようにローラ部材７（指圧部材８）が着脱可能に取り付けられ、かつ、前記マッサージ部材は、前記第１の当接部材の垂直方向における複数の位置に取り付け可能である。
【００４０】
このような構成によれば、所望の部位に対して所望の力で容易にマッサージを行うことが可能となる。詳細には、マッサージを望む部位にマッサージ面７１（８１）を当てた状態でマッサージ面７１（８１）に対して体を預けるという簡易な動作を行うだけで、マッサージを行うことが可能となる。この際、体の重さを利用することができるので、通常のマッサージよりも遥かに大きな力でマッサージを行うことが可能であり、更に、“体を預ける量を変える”という簡易な動作だけで、マッサージの強さを自在に調整することが可能である。
【００４１】
また、立設した不動物の側面（第１の柱２等）に取り付けられた第１の当接部材４に対して、ローラ部材７又は指圧部材８をマッサージを望む部位に応じて自由に取り付けることができるので、楽な姿勢を保ちながらマッサージを行うことが可能となる。
【００４２】
更に、ローラ部材７又は指圧部材８は着脱可能であり、また、第１の当接部材４の設置には僅かなスペースで足りるため、ローラ部材７又は指圧部材８を取り外せば、マッサージ器具１を室内等に設置した場合であっても、第１の当接部材４が室内の美観や生活の利便性を損なわせるという問題は、ほとんど生じない。
【００４３】
また、本実施の形態によるマッサージ器具１では、第１の当接部材４を立設した不動物の側面（第１の柱２等）に当接させることで、第１の当接部材４に取り付けられたローラ部材７（指圧部材８）のマッサージ面７１（８１）が第１の柱２から突出するように配置される。
【００４４】
このような構成によれば、マッサージ面７１（８１）に対して体を預けた際、その力（重さ）は、大部分が第１の柱２に対して垂直に働き、第１の当接板４１を第１の側面２１からずらす方向にはほとんど働かない。従って、第１の当接部材４を第１の柱２に対して強固に固定する必要がなく、つっぱり棒等の固定部材４３による簡易的な固定で済ませることができる。また、簡易的な固定で済むため、不使用時には、第１の当接部材４を取り外すことも容易である。
【００４５】
また、第１の当接部材４の下部が床面と接触するように配置することで、第１の当接部材４の重さ、及び、体を預けた際に第１の当接部材４を下方に押す力は床面で支持される。このことによっても、第１の柱２に対する第１の当接部材４の固定が外れることが抑制される。
【００４６】
また、本実施の形態によるマッサージ器具１では、棒状付勢部材９が、第１の当接部材４及び第２の当接部材５を、それぞれ、第１の側面２１及び第２の側面３１に向けて付勢させる。
【００４７】
このような構成によれば、棒状付勢部材９により、第１の当接部材４及び第２の当接部材５が、それぞれ、第１の側面２１及び第２の側面３１に向けて押し付けられるので、第１の柱２に対する第１の当接部材４の固定が外れてしまうことが更に抑制される。
【００４８】
尚、本発明のマッサージ器具は、上述した実施の形態に限定されず、特許請求の範囲に記載した範囲で種々の変形や改良が可能である。
【００４９】
例えば、第１の柱２に対する第１の当接部材４の固定が外れてしまうことを抑制するためには、ローラ部材７（指圧部材８）は、上記実施の形態のように、マッサージ面７１（８１）が第１の柱２から突出するように配置されることが好ましいが、第１の当接部材４が第１の不動物に対して強固に固定されていれば、異なる方向に突出していてもよい。
【００５０】
また、上記実施の形態では、第１の当接部材４は、ドア枠を構成する第１の柱２に取り付けられていたが、立設した不動物であれば、壁等の他のものに取り付けられてもよい。また、側面に凹凸等がある場合でも、第１の当接部材４が安定して当接可能であれば、本発明の“立設した不動物の側面”として採用することができる。更に、図４に示すように、壁から突出した部分２ａがある場合には、当該突出部分２ａを本発明の“第１の側面”と採用することもできる。また、不動物に板等の他の部材が取り付けられている場合、本発明の“第１の不動物”には、他の部材も含まれることとなる。
【００５１】
また、上記実施の形態では、平面状の第１の側面２１に当接させるだめに平面状の第１の当接板４１を採用したが、本発明の“当接面”の形状は、立設した不動物の側面形状に応じて変更可能である。例えば、立設した不動物が円柱形状を有している場合、曲面状の当接面を採用することができる。
【００５２】
また、上記実施の形態では、マッサージ器具１は、第１の当接部材４及び第２の当接部材５を備えていたが、棒状付勢部材９を架け渡す必要がなければ、いずれか一方だけであってもよい。
【００５３】
また、上記実施の形態では、つっぱり棒の固定部材４３により第１の当接部材４を第１の柱２に対して固定したが、マッサージ面７１（８１）が第１の当接板４１と略垂直に第１の柱２から突出するように配置されている場合には、第１の当接部材４の左右方向には大きな力が加わらないので、ネジ止めや粘着テープ等のその他の簡易的な方法により固定することもできる。
【００５４】
また、上記実施の形態では、第１の当接部材４は、下部が床面と接触するように配置されたが、第１の当接部材４が第１の柱２に対して強固に固定されている場合には、必ずしも下部が床面と接触していなくてもよい。
【００５５】
また、図５に示すように、第１の不動物（この場合、第１の柱２）が第１の側面２１略水平方向において交差する他の側面２２を有している場合、第１の当接部材４は、他の側面２２と当接する固定補助部４６を更に有していてもよい。
【００５６】
この場合、柱や壁の角をなす２つの面に、第１の当接板４１と固定補助部４６がそれぞれ当接するので、第１の不動物に対する第１の当接部材４の固定が外れることが更に抑制される。例えば、図１において、棒状付勢部材９に寄りかかってマッサージを行うような場合、第１の当接部材４に対しては、棒状付勢部材９を介して紙面奥側へ力がかかるが、この力は、固定補助部４６によって受け止められることとなる。
【００５７】
なお、図５では、板状の固定補助部４６が延出しているが、棒状の固定補助部４６を複数延出させてもよい。また、図５とは反対に、第１の当接部材４を固定補助部４６の位置に、固定補助部４６を第１の当接部材４の位置に配置することも可能である。
【００５８】
また、上記実施の形態では、保持部材６と、ローラ部材７又は指圧部材８は別体であってが、一体であってもよい。また、必ずしも保持部材６は必要ではなく、ローラ部材７又は指圧部材８は、第１の当接部材４に直接取り付けられてもよい。また、第１の当接部材４及び第２の当接部材５に取り付けられるマッサージ部材は、ローラ部材７と指圧部材８のいずれか一方であってもよいし、それ以外のマッサージ部材であってもよい。
【００５９】
また、上記実施の形態では、ローラ部材７又は指圧部材８は、保持部材６及び一対のレール部材４２を介して第１の当接板４１に固定されていたが、第１の当接板４１に直接固定されていてもよい。
【００６０】
また、本発明の“マッサージ器具”は、図６に示すように、座った状態で使用可能なものであってもよい。この場合、第１の当接部材４の下部から略水平に延出した座部４７に座るように使用する構成とすることで、第１の支持部材４が倒れることはなくなるので、固定部材４３も不要となる。
【００６１】
更に、本発明の“マッサージ器具”は、建築物を建築する段階で、室内の美観や生活の利便性を考慮して“第１の当接部材”を壁や柱等に組み込んでおくことで、“マッサージ器具付の部屋”として販売等することも可能である。
【符号の説明】
【００６２】
１          マッサージ器具
２          第１の柱
３          第２の柱
４          第１の当接部材
５          第２の当接部材
６          保持部材
７          ローラ部材
８          指圧部材
９          棒状付勢部材
２１      第１の側面
３１      第２の側面
４１      第１の当接板
７１      マッサージ面
８１      マッサージ面
【図１】
2018192084.tif 000003
【図２】
2018192084.tif 000004
【図３】
2018192084.tif 000005
【図４】
2018192084.tif 000006
【図５】
2018192084.tif 000007
【図６】
2018192084.tif 000008